(57)【要約】【課題】  信頼性の高い記録再生装置を提供する。【解決手段】  記録媒体への情報の記録及び記録された情報を再生する記録再生手段を備える記録再生装置において、前記記録媒体の再生信号の特性を評価する評価手段と、前記記録媒体の所定の領域に記録された履歴情報を検出する検出手段と、前記検出手段により検出された履歴情報に基づいて、相対的に前記記録媒体の特性の変化を診断する診断手段と、前記記録媒体の特性が所定レベルに達する時期を予測する予測手段と、  前記評価手段で得られた記録媒体の特性結果を履歴情報として記録媒体の所定の領域に記録する記録手段と、前記履歴情報及び前記予測情報を表示する表示手段とを備える。【選択図】  図１
2006114176.tif 000002
【特許請求の範囲】
【請求項１】
記録媒体への情報の記録及び記録された情報を再生する記録再生手段を備える記録再生装置において、
前記記録媒体の再生信号の特性を評価する評価手段と、
前記記録媒体の所定の領域に記録された履歴情報を検出する検出手段と、
前記検出手段により検出された履歴情報に基づいて、相対的に前記記録媒体の特性の変化を診断する診断手段と、
前記記録媒体の特性が所定レベルに達する時期を予測する予測手段と、
前記評価手段で得られた記録媒体の特性結果を履歴情報として記録媒体の所定の領域に記録する記録手段と、
前記履歴情報及び前記予測情報を表示する表示手段とを備えることを特徴とする記録再生装置。
【請求項２】
前記評価手段は、前記記録媒体の特性の評価を、前記記録媒体の再生信号に対して、最尤復号によって復号化を行い、トレリス線図の各状態に入力される2本のパスのパスメトリック差から前記再生信号の品質を評価するSAM値算出手段を備えた評価手段であることを特徴とする請求項１記載の記録再生装置。
【請求項３】
前記評価手段は、前記記録媒体の再生信号の品質を評価するSAM値算出手段と、前記記録媒体の所定の領域に前記記録媒体の履歴情報を検出するディスク情報検出手段を備え、SAM値の計算結果と履歴情報とを相対的に比較する診断手段を備えることを特徴とする請求項１記載の記録再生装置。
【請求項４】
前記表示手段は、前記診断手段で得られた結果に基づいて、前記記録媒体の特性の相対変化量を表示することを特徴とする請求項１記載の記録再生装置。
【請求項５】
前記予測手段は、前記評価手段により得られた履歴情報に基づいて、前記記録媒体特性の経時変化量を観察し、前期記録媒体の特性が前記所定レベルに達する時期を算出する算出手段を備えることを特徴とする請求項１記載の記録再生装置。
【請求項６】
前記評価手段は、ディスク記録媒体がライトプロテクト時にも、所定の領域へ評価履歴情報を書き込むことを特徴とする請求項１記載の記録再生装置。
【発明の詳細な説明】
【技術分野】
【０００１】
本発明は、記録再生装置に関し、特にディスク状記録媒体を使用して、ディスク状記録媒体に記録されたディジタル情報を最尤復号方式によって復号し、復号された信号の品質を評価する評価手段を有する記録再生装置に関する。
【背景技術】
【０００２】
ディスク状記録媒体の特徴として、ランダムアクセスが可能、記録データの書き換えが可能、再生信号の品質劣化が少ないこと、記録媒体そのものの持ち運びが容易であることなどが挙げられる。しかし、持ち運びが容易である反面、ディスク状記録媒体表面へのゴミの付着、衝撃による傷、経時変化によるの反りや歪みを完全に無くすことは不可能である。
【０００３】
従来の記録再生装置は、ディスク状記録媒体表面に何らかの不具合が生じ、記録・再生の品質が一定レベル以上に保てないと判断した場合に、当該ディスク状記録媒体を装置から排出し、同時に“記録不可能”もしくは“再生不可能”といった異常発生メッセージをユーザに通知する構成となっている（例えば、特許文献１参照）。
【０００４】
このようにディスク状記録媒体の記録・再生の品質を判断するためには、記録再生装置は記録・再生の品質を評価する評価手段を有する必要がある。再生信号の品質を評価する方法として、従来はジッタが評価値として使用されていたが、近年の高密度記録に伴い最尤復号方式として符号間干渉が起こることを考慮したPRML方式が採用されるようになり、時間軸方向のゆらぎを示すジッタは評価値として適当ではなくなった。また、データ検出結果のビットエラーレートを評価値として用いる方法もあるが、安定したビットエラーレートを測定するためには、測定時間を長く取らなければならない。このような背景から、SAM(Sequenced Amplitude Margin)と呼ばれる再生信号品質の評価方法が提案されている。
【０００５】
図２を用いてSAMの評価方法を説明する。ディスク状記録媒体201に記録されている情報は光ピックアップ203により光学的に読み取られ、電気信号に変換されて出力される。この再生信号は、増幅器205により増幅されアナログディジタル変換器207によってディジタル化される。ディジタル化するタイミングは、PLL回路211によって再生信号との同期をとるよう構成される。ディジタルデータは、等化器209に入力され、所定の周波数特性をもつようにパーシャルレスポンスに波形等化された後、ビタビ復号器213、SAM計算器215に入力される。
【０００６】
ビタビ復号器213の動作を考える。ここでは、記録符号は、RLL(1.7)変調であり、記録・再生系の周波数特性が、PR(1,2,2,1)の変化特性をもつとする。このとき、記録符号が取りうる状態遷移図を図３に示す。S0(0,0,0)、S1(0,0,1)、S2(0,1,1)、S3(1,1,1)、S4(1,1,0)、S5(1,0,0)は状態を表し、状態と状態を結ぶ線は状態の遷移を表しブランチと呼ばれる。例えば、状態S1(0,0,1)は前ビットが00で現在ビットが1である状態を表し、次に"1"が入力された場合の理想の再生信号レベルが3でS2(0,1,1)の状態に遷移することになる。RLL(1.7)変調により、最小反転間隔は2なのでS(0,1,0)、S(1,0,1)の状態はないことになる。状態遷移図から、任意の6状態のビット列に対して、理想的なサンプルレベルとしては、0、1、2、3、4、5、6の7値を取ることが分かる。ここで、便宜上、最大振幅が3となるようにすると理想的なサンプルレベルは-3、-2、-1、0、+1、+2、+3となる。図３の状態遷移図を時間軸に関して展開すると図４のトレリス線図となる。
【０００７】
復号は、トレリス線図において、実際の再生波形と比較して最も確からしいブランチの組み合わせ、つまり最も確からしいパスを選択することによって行われる。一般に、状態遷移の確からしさを表す量をユークリッド距離といい、理想的な再生信号レベルを, 実際の再生信号レベルをとすると時刻kまでのユークリッド距離Dは次式で定義されている。
【０００８】
【数１】
2006114176.tif 000003
SAM計算器215の動作例を図５に示す。等化器209よりデータが入力されると、全パターンのユークリッド距離を計算する(501)。次にS503において、それぞれのパスのユークリッド距離を比較し、一番小さいユークリッド距離を持つパスを最も確からしいパスAと選択し、次にユークリッド距離が小さいパスを次に確からしいパスBと選択する。次にS505において最も確からしいパスAと次に確からしいパスBとのユークリッド距離の差を取りSAM値を求め、S507でSAM値を出力する。SAM値が大きいということは、エラーが生じにくいことを示し、逆にSAM値が小さいということは、エラーが生じやすいことになるので、これで再生信号の復号の正確性を評価することができる。
【特許文献１】特開２００４−６２９４０号
【発明の開示】
【発明が解決しようとする課題】
【０００９】
しかしながら上記従来技術の構成では、再生信号の信頼性をSAM値で評価する構成にはなっているが、SAM値によるディスクの評価結果を利用して、ユーザの利便性を図る構成にはなっていない。
【００１０】
例えば、ユーザが記録・再生をする際にディスク状記録媒体を装置に挿入して、ディスク状記録媒体に付いたゴミや傷、また経時変化による歪みや反りの影響で記録・再生状態が良好でないと判断した場合、従来の記録再生装置は、エラーメッセージを液晶に表示するなどして、ディスク状記録媒体の状態が不良であることをユーザに知らせ、ディスク状記録媒体の再生・記録を禁止する構成となっている。この処置は、ユーザ側にとっては予期せぬ事態であり、また、ディスク状記録媒体に記録した貴重な情報が損失されてしまうという危険も含まれている。
【００１１】
本発明は上記従来の問題点を解決するもので、再生信号の品質を評価して、評価結果を基にディスク状記録媒体の状態、経時変化をユーザに知らせることで、信頼性の高い記録再生装置を提供することを目的としている。
【課題を解決するための手段】
【００１２】
本発明の記録再生装置は、前述の課題を解決するために、
前記記録媒体の再生信号の特性を評価する評価手段と、
前記記録媒体の所定の領域に記録された履歴情報を検出する検出手段と、
前記検出手段により検出された履歴情報に基づいて、相対的に前記記録媒体の特性の変化を診断する診断手段と、
前記記録媒体の特性が所定レベルに達する時期を予測する予測手段と、
前記評価手段で得られた記録媒体の特性結果を履歴情報として記録媒体の所定の領域に記録する記録手段と、
前記履歴情報及び前記予測情報を表示する表示手段とを設けた。
【００１３】
また、前記記録媒体の再生信号の品質を評価するSAM値算出手段と、前記記録媒体の所定の領域に前記記録媒体の履歴情報を検出するディスク情報検出手段を備え、SAM値の計算結果と履歴情報とを相対的に比較する診断手段を設けることとした。
【発明の効果】
【００１４】
本発明の記録再生装置によれば、ディスク状記録媒体の再生信号の品質を評価することにより、ディスク状記録媒体の状態をユーザに知らせることが可能となり、ユーザが貴重な記録情報を損失する、または記録する機会を逃すなどの危険性を防ぐことができる。
【発明を実施するための最良の形態】
【００１５】
以下、本発明の実施の形態を図面を参照して詳細に説明する。
【実施例１】
【００１６】
図１は、本発明の第1の実施形態を説明する記録再生装置の全体構成を示すブロック図である。
【００１７】
ディスク状記録媒体101(以下、ディスク)に記録されている情報は光ピックアップ103により光学的に読み取られ、電気信号に変換されて出力される。この再生信号は、増幅器105により増幅されアナログディジタル変換器107によって2値化される。2値化するタイミングは、PLL回路111によって再生信号との同期をとるよう構成される。ディジタル化されたディジタルデータは、等化器109に入力され、所定の周波数特性をもつようにパーシャルレスポンスに波形等化された後、ビタビ復号器113、評価部115に入力される。
【００１８】
ビタビ復号器113では、等化された信号を最尤復号方式で復号することで2値化データを出力する。評価部115では、ディスク情報検出部119においてディスクの所定領域に記録されているディスク情報を検出し、SAM計算器117により再生信号の品質を評価する。SAM計算器117の評価結果とディスク情報検出部119で検出されたディスク情報を基に相対変化診断部121において、ディスクの相対変化を診断し、システムコントローラ123に出力する。システムコントローラ123はその結果を表示部127に出力し、表示部127は診断結果を表示する。記録処理部125では、システムコントローラ123によって評価結果をディスク状記録媒体の所定の領域に記録するよう制御される。
【００１９】
評価動作について図６を用いて説明する。ディスクが再生されると、評価部115のSAM計算器117によって再生信号の品質を評価し(S601)、またディスク情報検出部119によってディスクの所定領域に記録されているディスク情報を読み出す(S603)。次に、相対変化診断部121において、SAM計算器からの再生信号品質の評価結果とディスク情報検出部119によって読み出されたディスク情報に含まれている前回の同ディスクの評価結果を比較する。S607で相対変化の診断結果が出力されるとシステムコントローラ123は、表示部127に相対変化の診断結果を表示するよう制御する。表示部127は、システムコントローラ123の命令によって例えば、液晶パネル等に図７のように前回の診断結果と今回の診断結果の比較がユーザに容易に分かるように表示する。また、システムコントローラ123は評価結果をディスク情報として、ディスクの所定領域に書き込むよう記録処理部125を制御する。
【００２０】
尚、本実施例ではディスクの特性評価結果をディスクの所定領域へ履歴情報として記録する構成としたが、履歴情報をファイルとして残す手段を用いてもよい。
【実施例２】
【００２１】
図８は、本発明の第２の実施形態を説明する記録再生装置の全体構成を示すブロック図である。第１の実施例の構成に予測診断部801を加えた。
【００２２】
第２の実施例の動作を図９を用いて説明する。ディスクが再生されると、評価部115のSAM計算器117によって再生信号の品質を評価し(S901)、またディスク情報検出部119によってディスクの所定領域に記録されているディスク情報を読み出す(S903)。次に、S905とS907のステップに移る。
【００２３】
S905において、相対変化診断部121でSAM計算器からの再生信号品質の評価結果とディスク情報検出部119によって読み出されたディスク情報に含まれている前回の同ディスクの評価結果を比較する。
【００２４】
S907では、予測診断部801において、ディスク情報からの評価結果の推移と今回の評価結果からディスクの寿命を予測する。
【００２５】
S909において、相対変化診断部121から相対変化の診断結果と、予測診断部801から予測結果が出力されると、システムコントローラ123は、評価結果をディスク情報として、ディスクの所定領域に書き込むよう記録処理部125を制御し(S911)、表示部127に相対診断結果を表示するよう制御する(S913)。表示部127は、システムコントローラ123の命令によって例えば、液晶パネル等に図１０のように前回の診断結果と今回の診断結果の比較、記録媒体の寿命がユーザに容易に分かるよう表示する。
【００２６】
以上述べたように、記録再生装置にディスク状記録媒体の再生信号の品質を評価する評価手段を設けて、その評価結果をユーザに表示することにより、ディスク状記録媒体の状態をユーザに知らせることが可能となり、ユーザが貴重な記録情報を損失する、記録する機会を逃すなどの危険性を防ぐことができる。
【００２７】
また、ディスク状記録媒体の寿命を予測する予測診断部を設けることで、あらかじめユーザにディスクの状態を知らせることが可能となり、ユーザが貴重な記録情報を状態の悪いディスクで記録する危険を防ぐことができる。
【図面の簡単な説明】
【００２８】
【図１】本発明の記録再生装置の第1の実施の形態を示すブロック図。
【図２】従来の記録再生装置のブロック図。
【図３】PR(1,2,2,1)の状態遷移図。
【図４】PR(1,2,2,1)のトレリス線図。
【図５】SAM値算出手段の動作を示すフローチャート。
【図６】第１の実施例の評価手段の動作を示すフローチャート。
【図７】第１の実施例の相対変化診断結果の表示例。
【図８】記録再生装置の第１の実施の形態を示すブロック図。
【図９】第２の実施例の評価手段の動作を示すフローチャート。
【図１０】第１の実施例の相対変化診断結果の表示例。
【符号の説明】
【００２９】
101  ディスク状記録媒体
103  光ピックアップ
105  増幅器
107  アナログディジタル変換器
109  等化器
111  PLL回路
113  ビタビ復号部
115  評価部
117  SAM計算器
119  ディスク情報検出部
121  相対変化診断部
123  システムコントローラ
125  記録処理部
127  表示部
【図１】
2006114176.tif 000004
【図２】
2006114176.tif 000005
【図３】
2006114176.tif 000006
【図４】
2006114176.tif 000007
【図５】
2006114176.tif 000008
【図６】
2006114176.tif 000009
【図７】
2006114176.tif 000010
【図８】
2006114176.tif 000011
【図９】
2006114176.tif 000012
【図１０】
2006114176.tif 000013